(57)【特許請求の範囲】
【請求項１】
壁面に側板を横並びに並設し、隣設される側板間に棚板を取り付ける壁面収納装置において、
前記側板の後端面に、側板の両側方空間を連通させる配線挿通部を有した不陸調整軟質材を取着したことを特徴とする壁面収納装置。
【請求項２】
請求項１において、
前記側板には、前記棚板を取り付けるための複数の取付部が上下方向に沿って所定間隔で形成され、
前記不陸調整軟質材には、前記取付部の間隔に対して整数倍の間隔で、前記配線挿通部が複数形成されていることを特徴とする壁面収納装置。
【請求項３】
請求項１または２において、
前記壁面に引掛けレールが配設されており、該引掛けレールに引っ掛かる引掛け具を前記側板の上端に取り付けたことを特徴とする壁面収納装置。
【請求項４】
請求項１〜３のいずれか１項において、
前記不陸調整軟質材は、前記側板の両面に沿うように配された２枚の側壁板部を有した構造とされることを特徴とする壁面収納装置。
【発明の詳細な説明】
【技術分野】
【０００１】
本発明は、壁面に側板を横並びに並設し、隣設される側板間に棚板を取り付ける壁面収納装置に関する。
【背景技術】
【０００２】
従来、物品を収納するための棚として、側板を壁面に横並びに並設し、側板間に棚板を取り付けるようにした壁面収納装置が知られている。特に、特許文献１に記載されたものは、側板の後端に切欠きが設けてあり、壁面に沿ったケーブル等の横配線を容易にできるようになっている。
【先行技術文献】
【特許文献】
【０００３】
【特許文献１】特開２００１−１０４０５９号公報
【発明の概要】
【発明が解決しようとする課題】
【０００４】
しかしながら、上記特許文献の壁面収納装置は切欠きにケーブル等を通す構成となっているため、そのケーブル等が触れること等により切欠き凹部が劣化しやすく、美観が損なわれるほど傷むおそれもある。また、損傷が激しい場合は、側板自体を取り替えなければならなくなる可能性もある。
【０００５】
さらに、上記特許文献の壁面収納装置は側板を壁面に直付けする構成であるため、壁面の不陸により側板の後端面と壁面との間に隙間ができ、美観が損なわれるおそれもある。特に、側板の後端面と壁面との間に切欠きにつながる隙間ができれば、見映えは極端に悪くなる。
【０００６】
また、切欠きにつながる隙間ができれば、切欠きに通したケーブルがその隙間に入り込むおそれもあり、そのような事態になれば、配線の付け替えや取り外しが極端にしにくくなる。つまり、壁面の不陸調整ができていない状態で壁面収納装置を配設すれば、横配線用の切欠きをまともに利用することはできず、無用のものとなってしまう。
【０００７】
本発明は、以上のような問題を考慮して提案されたもので、その目的は、壁面の不陸を吸収でき、側板の両側方空間をつなぐように横配線ができ、かつ側板の損傷を防止できる壁面収納装置を提供することにある。
【課題を解決するための手段】
【０００８】
上記目的を達成するために、本発明に係る壁面収納装置は、壁面に側板を横並びに並設し、隣設される側板間に棚板を取り付ける壁面収納装置において、側板の後端面に、側板の両側方空間を連通させる配線挿通部を有した不陸調整軟質材を取着したことを特徴とする。
【０００９】
本発明において、側板には、棚板を取り付けるための複数の取付部が上下方向に沿って所定間隔で形成され、不陸調整軟質材には、取付部の間隔に対して整数倍の間隔で、配線挿通部が複数形成されたものとしてもよい。
【００１０】
また本発明において、壁面に引掛けレールが配設されており、該引掛けレールに引っ掛かる引掛け具を側板の上端に取り付けた構成としてもよい。
【００１１】
さらに本発明において、不陸調整軟質材は、側板の両面に沿うように配された２枚の側壁板部を有した構造とされるようにしてもよい。
【発明の効果】
【００１２】
本発明に係る壁面収納装置によれば、上述のような構成としたことで、壁面の不陸を吸収でき、側板の両側方空間をつなぐように横配線ができ、かつ側板の損傷を防止することができる。
【図面の簡単な説明】
【００１３】
【図１】本発明の一実施形態に係る壁面収納装置の斜視図および部分拡大斜視図である。
【図２】同壁面収納装置の部分分解斜視図である
【図３】同壁面収納装置の要部拡大概略横断面図である。
【図４】同壁面収納装置の使用状態の一例を示す斜視図である。
【図５】図４のＸ−Ｘ線矢視に対応した概略拡大縦断面図である。
【発明を実施するための形態】
【００１４】
以下に、本発明の実施の形態について、添付図面を参照しながら説明する。なお、以下の実施形態における前後方向は、壁面収納装置を対面して使用する使用者を基準に手前側を前、奥側を後として規定した方向である。
【００１５】
本実施形態に係る壁面収納装置１は、図１に示すように、複数の側板１０、１０を壁面２に横並びに並設し、隣設された側板１０、１０間に棚板４０、４０を上下方向に移動自在に取り付けできるようにした装置である。
【００１６】
そして、この壁面収納装置１はさらに、側板１０の両側方空間を連通させる配線挿通部２４を有した不陸調整軟質材２０を、側板１０と壁面２とに挟まれるように側板１０の後端面に取着した構成となっている。
【００１７】
また、壁面２には側板１０を引っ掛けるための引掛けレール５０が配設されている。この引掛けレール５０は、短溝壁５１と長溝壁５２とを有した凹溝体である。引掛けレール５０は、この凹溝体の開口を上方に向けた状態で、短溝壁５１を前方部に配し、長溝壁５２を壁面に固着して取り付けられている。
【００１８】
側板１０は、上部においては上端に取着した引掛け具３０により引掛けレール５０に引っ掛けられ、下部においては下端をＬ字の固定金具４にて床面に固定されることで、起立状態に固定されるようになっている。
【００１９】
また、側板１０、１０間には棚板４０が支持される構成となっており、側板１０、１０間の空間を棚板４０で上下方向に仕切って、複数の収納空間４５、４５が形成できるようになっている。
【００２０】
図１の例では、碁盤桝目状の収納空間４５、４５ができるように棚板４０、４０が整列して取り付けてあるが、図４に示したように、棚板４０を上下方向に移動させて配置することもできる。また、棚板４０を適宜配置することで、ゴルフクラブ等が収納できる縦長の収納空間４５を形成することもできる。なお、棚板４０の奥行寸法は側板１０の奥行寸法と略同じとされ、棚板４０と壁面２との間には隙間４４（図３参照）が形成されている。
【００２１】
以下、側板１０を主材とした側板ユニット３の構成および側板ユニット３の壁面２への取り付け構造について詳細に説明する。
【００２２】
側板ユニット３は、側板１０と、引掛け具３０と、不陸調整軟質材２０とを備えてなる。
【００２３】
側板１０は、木質材、合成樹脂材等よりなる略矩形の板状体よりなる。側板１０の両側面には、棚板４０を設置するための複数の取付部１２、１２が上下方向に等間隔で設けられている。この取付部は、側面の前後に開設した２つの穴部に付け替え自在なダボを差し込んで、そのダボで棚板４０を支持する構成となっている。
【００２４】
側板１０の後端面には上下方向にわたり突出した凸条部１１が形成されている。この凸条部１１は不陸調整軟質材２０を嵌合により連結するための雄実部であり、図例のように側板１０の厚み方向の略中央に配することが望ましい。
【００２５】
また、側板１０の上端の後部には引掛け具３０がビス止めにて固着されている。なお、この引掛け具３０は施工前にて側板１０に取着しておいてもよいが、引掛けレール５０の形状、寸法に応じて前後方向を調整しながら側板１０に取り付けるようにしてもよい。
【００２６】
この引掛け具３０は、金属材または硬質の合成樹脂材より製されている。引掛け具３０は、凹溝体の底部３１ａにビス孔３１ｂを有した固定部３１と、固定部３１の長手方向の一方の端部より延出したＬ字状の引掛け部３２とを備えている。この引掛け具３０は、凹溝体の溝開口を下方に向け、引掛け部３２を後方に配した状態で両溝壁片３１ｃ、３１ｃで側板１０を挟むようにして側板１０の上端に取り付けられる。
【００２７】
引掛け部３２の引掛け片３２ａは、固定部３１の側壁片３１ｃと同方向に突出しており、図１、図２に示すように、引掛けレール５０の短溝壁５１と掛合する構成となっている。また、引掛け部３２の本体部３２ｂには補強リブ３２ｃが形成されている。
【００２８】
このように側板１０と固定状態にある引掛け具３０を引掛けレール５０に引っ掛けた状態では、側板１０の後端側に取り付けた不陸調整軟質材２０が、側板１０と壁面２との間に圧装された状態となることが望ましい。
【００２９】
このように不陸調整軟質材２０が側板１０、壁面２間に圧装された状態となることにより、側板１０が後方にずれるおそれはなく、よって引掛け具３０の引掛け片３２ａと引掛けレール５０との掛合が施工後に解除されるおそれはない。なお、側板ユニット３の左右へのずれを防止するために、引掛け片３２ａを引掛けレール５０に固着するようにしてもよい。
【００３０】
一方、不陸調整軟質材２０は軟質の合成樹脂材等よりなり、側板１０の後端面に形成した凸条部１１に嵌合連結される構成となっている。
【００３１】
不陸調整軟質材２０は、側板１０の凸条部１１が嵌め入れられる、前方に向けて開口した嵌合凹溝２１ａを有した基部２１と、基部２１の幅方向の両端より後方に向けて突出した２枚の側壁板部２２、２２とを備えている。つまり、不陸調整軟質材２０の後部には、２枚の側壁板部２２、２２と、それらの側壁板部２２、２２に挟まれた中空部２３とを有した凹溝体が形成されている。
【００３２】
なお、側板１０と不陸調整軟質材２０とをより強固に連結するために、接着剤で相互固着するようにしてもよいし、基部２１の後方面より側板１０に向けて釘止めするようにしてもよい。また、後述するように、側板１０が引掛け具３０で固定され、その固定された側板１０と壁面２との間に不陸調整軟質材２０が圧装される取り付け構造であるため、側板１０と不陸調整軟質材２０とが相互嵌合しない（たとえば端面同士の突き合わせ）構造であってもよい。
【００３３】
両側壁板部２２、２２には、上下方向の略同位置に、上下方向に沿って所定の間隔で複数の切欠き部が形成されている。これら２つの切欠き部は、中空部２３を介して連通しており、ケーブル４６等を壁面２に沿わせて側板１０を介して隣接する横方向の空間に通すための配線挿通部２４を構成する。
【００３４】
また、不陸調整軟質材２０の本体は、引掛けレール５０との接触を回避するために、側板１０よりも低く形成されており、本体の上端の前部には、相対する横断面Ｌ字形状の挟持部２５、２５が上方に向けて突出している。この挟持部２５を含めた不陸調整軟質材２０の全長は、側板１０の全長と略同一とされる。
【００３５】
それぞれの挟持部２５は、側板１０の後端面と相対する位置に並設された挟持片２５ａと、不陸調整部材２０の側面側に配されたカバー片２５ｂとを備えている。
【００３６】
側板１０と、側板１０に取り付けた不陸調整軟質材２０と、側板１０に取り付けた引掛け具３０とは、図１の部分拡大斜視図および図２に示すような係合関係となっている。
【００３７】
すなわち、挟持部２５、２５の挟持片２５ａ、２５ａが、側板１０に取り付けた引掛け具２０を両側方（左右方向）より挟み込み、さらにその挟持片２５、２５によって挟まれた引掛け具３０の固定部３１の溝壁片３１ｃ、３１ｃが、側板１０を挟み込んだ二重の挟み込み構造となっている。
【００３８】
以上のようにして、側板１０と、引掛け具３０と、不陸調整軟質材２０とよりなる側板ユニット３は、不陸調整軟質材２０が壁面２に接するように取り付けされる。
【００３９】
このように、本壁面収納装置１は軟質材料で製された不陸調整軟質材２０を壁面２に接するようにして側板１０を配設する構成であるため、壁面２に凹凸がある場合にその不陸を吸収して、凹凸による隙間が形成されることを防止できる。
【００４０】
そして、その不陸調整軟質材２０の配線挿通部２４には、ケーブル４６等の電気線を通すことができ、側板１０の両側方の収納空間４５、４５をつなぐように横配線をすることができる（図３参照）。
【００４１】
また、このように側板ユニット３を壁面２に隙間なく設置することができるので、配線挿通部２４に通したケーブル４６が、不陸調整軟質材２０と壁面２との間に入り込むおそれはなく、配線の付け替えや取り外しの作業も効率よく行える。
【００４２】
また、本実施形態の不陸調整軟質材２０は中空部２３を有したものであるため、その中空部２３にケーブル４６を通すこともできる。もちろん少ない原材料で製造できるから、低コスト化、軽量化を実現できる。
【００４３】
なお、不陸調整軟質材２０として、２枚の側壁板部２２、２２を有した凹溝状のものを例示したが、溝開口のない中空構造のものでもよいし、中実構造のものでもよい。中実構造のもの、特に板状のものを用いれば、ケーブル４６の配線挿通部２４への挿通作業がより簡単にできる。
【００４４】
ついで、この壁面収納装置１の使用例について、図４の斜視図を参照しながら説明する。
【００４５】
図中に例示した電子機器４７は、壁面収納装置１の１つの収納空間４５に収納されている。この電子機器４７はその裏面に電源供給用のケーブル４６が接続され、そのケーブル４６の他方の端部に設けたプラグを壁面収納装置の外側（図中右側）に配されたコンセント５に差し込んで電源供給されるようになっている。
【００４６】
そして、そのケーブル４６は、３枚の側板１０の配線挿通部２４を通って、電子機器４７、コンセント５間を接続している。
【００４７】
また、棚板４０は壁面２との間に隙間４４（図３参照）ができるように設置されているので、ケーブル４６を棚板４０の後端側に上下方向に配線することもできる。さらに、例示した配線にかぎらず他の種々の配線によって電子機器４７をケーブル４６で接続することができる。
【００４８】
また、図４に示したように、不陸調整軟質材２０の最下部に設けた配線挿通部２４を使用して床面に沿った配線を行うことも可能である。このようにすることで、配線は目立つことがなく、美観を考慮した配線ができる。なお本実施形態では、棚板４０の奥行寸法を側板１０の奥行寸法と略同一としてあり、そうすることで棚板４０と壁面２との隙間４４（図３参照）ができ、そのため図４の下部に例示したケーブル４６のように、その隙間４４にケーブル４６を通すこともできる。
【００４９】
また、図４の上部に示したように、収納空間４５内の壁面に形成されたコンセント５から、外部のエアコン４８等の機器へ配線することもできる。
【００５０】
図４では、電源供給用のケーブル４６の配線を例示したが、電源線にかぎらず、通信線についても適用可能であることはいうまでもない。たとえば、異なる収納空間４５にそれぞれ電子機器４７を収納して、それらをつなぐ通信ケーブルを配線挿通部を使用して配線することもできる。
【００５１】
また、不陸調整軟質材２０が上下方向に通じる中空部２３を有しているので、その中空部２３を利用してケーブル４６を通すこともできる。
【００５２】
つぎに、不陸調整軟質材２０の配線挿通部２４と、側板１０の取付部１２との位置関係について図５を参照しながら説明する。図５は、図４のＸ−Ｘ線矢視に対応した概略拡大縦断面図である。
【００５３】
本実施形態では、側板１０の複数の取付部１２、１２が上下方向に等間隔に形成されており、不陸調整軟質材２０における配線挿通部２４、２４の上下間隔が取付部１２、１２の上下間隔の４倍となっている。
【００５４】
このように配線挿通部２４、２４の間隔を取付部１２、１２の間隔の整数倍とすることで、図５の例のように、いずれの配線挿通部２４、２４も、上下に隣接する取付部１２、１２の略中間位置に配されるようにすることができる。そうすることで、棚板４０をどのような高さの取付部１２に設置しても、配線挿通部２４が使いにくくなることはない。
【００５５】
なお、本実施形態では棚板４０と壁面２との間に隙間ができるものを示したが、図５の最上部の棚板４０において破線を付加したように、隙間ができないような棚板４０を取り付けてもよい。そのような場合、図５における最上部の配線挿通口２４から、最上部の棚板４０の上方の収納空間４５への配線はできないが、その棚板４０を１段下げるだけで、その配線挿通部２４を上方の収納空間４５への配線挿通部４５として利用することができる。
【符号の説明】
【００５６】
１        壁面収納装置
２        壁面
１０      側板
１１      凸条部
１２      取付部
２０      不陸調整軟質材
２１      基部
２１ａ    嵌合凹溝
２２      側壁板部
２３      中空部
２４      配線挿通部
２５      挟持部
３０      引掛け具
４０      棚板
５０      引掛けレール
【図１】
0005796226.tif 000002
【図２】
0005796226.tif 000003
【図３】
0005796226.tif 000004
【図４】
0005796226.tif 000005
【図５】
0005796226.tif 000006